(57)【要約】【課題】少なくともプログラム情報の重複記録を防止するとともに、使用者に対する親和性、利便性を向上させることが可能な情報再生記録装置、方法、プログラム及び記録媒体を提供する。【課題手段】第１記録媒体（１０）に記録されたプログラム情報に対応する管理情報と第２記録媒体（１１）に記録されたプログラム情報に対応する管理情報とを比較し、第１記録媒体（１０）における管理情報が第２記録媒体（１１）に存在するか否かを判断する。そして、第１記録媒体（１０）における管理情報が第２記録媒体（１１）に存在しないと判断された場合には、プログラム情報に関する属性情報を取得し、その属性情報が第２記録媒体（１０）に記録されたプログラム情報に関する属性情報を含む履歴情報を有するデータベースに存在するか否かを判断する。そして、その属性情報が前記データベースに存在しないと判断された場合には、第１記録媒体（１０）に記録されたプログラム情報を第２記録媒体（１１）に記録することを特徴とする。【選択図】　図２
2004071062.tif 000002
【特許請求の範囲】
【請求項１】
第１記録媒体からプログラム情報の再生を行う再生装置と、第２記録媒体へのプログラム情報の記録を行う記録装置と、前記再生装置および前記記録装置を制御する制御装置と、を備えた情報再生記録装置において、
前記制御装置は、
前記第１記録媒体に記録されたプログラム情報に対応する管理情報と前記第２記録媒体に記録されたプログラム情報に対応する管理情報とを比較し、前記第１記録媒体における前記管理情報が前記第２記録媒体に存在するか否かを判断する情報記録判断手段と、
前記第１記録媒体における管理情報が前記第２記録媒体に存在しないと判断された場合には、前記プログラム情報に関する属性情報を取得する属性情報取得手段と、
前記第２記録媒体に記録されたプログラム情報に関する属性情報を含む履歴情報を有するデータベースを参照して、前記取得された属性情報が当該データベースに存在するか否かを判断する属性情報記録判断手段と、
前記属性情報が前記データベースに存在しないと判断された場合には、前記第１記録媒体に記録されたプログラム情報を前記第２記録媒体に記録させるべく前記再生装置および前記記録装置を制御する情報記録制御手段と、を備えることを特徴とする情報再生記録装置。
【請求項２】
請求項１に記載の情報再生記録装置において、
前記情報記録制御手段は、前記属性情報が前記データベースに存在しないと判断された場合に前記第１記録媒体に記録されたプログラム情報を前記第２記録媒体に記録させるべく制御するとともに、前記第２記録媒体に記録されたプログラム情報に関する属性情報を前記データベースに履歴情報として記憶することを特徴とする情報再生記録装置。
【請求項３】
請求項１に記載の情報再生記録装置において、
前記属性情報取得手段は、前記属性情報が取得可能であると判断した場合に、当該属性情報を取得するものであって、
前記情報記録制御手段は、前記属性情報が取得可能でないと判断された場合には、前記第１記録媒体に記録されたプログラム情報を前記第２記録媒体に記録させるべく前記再生装置および前記記録装置を制御することを特徴とする情報再生記録装置。
【請求項４】
請求項１に記載の情報再生記録装置において、
前記属性情報には、前記プログラム情報に関する複数種類の情報が含まれており、
前記属性情報記録判断手段は、前記データベースを参照して、前記取得された属性情報に含まれる複数種類の情報のうち所定の１の情報又は２以上の情報の組合せが前記データベースに存在するか否かを判断し、
前記情報記録制御手段は、前記所定の１の情報又は２以上の情報の組合せが前記データベースに存在しないと判断された場合には、前記第１記録媒体に記録されたプログラム情報を前記第２記録媒体に記録させるべく前記再生装置および前記記録装置を制御することを特徴とする情報再生記録装置。
【請求項５】
請求項１に記載の情報再生記録装置において、
前記第１記録媒体には、複数のプログラム情報が記録されており、
前記情報記録制御手段は、前記第１記録媒体に記録された複数のプログラム情報のうち前記属性情報が前記データベースに存在しないと判断されたプログラム情報を前記第２記録媒体に記録させるべく前記再生装置および前記記録装置を制御する際に、当該プログラム情報と、前記複数のプログラム情報のうち前記第２記録媒体に既に記録されているプログラム情報とを関連付けることを特徴とする情報再生記録装置。
【請求項６】
第１記録媒体に記録されたプログラム情報に対応する管理情報と第２記録媒体に記録されたプログラム情報に対応する管理情報とを比較し、前記第１記録媒体における前記管理情報が前記第２記録媒体に存在するか否かを判断する情報記録判断工程と、
前記第１記録媒体における管理情報が前記第２記録媒体に存在しないと判断された場合には、前記プログラム情報に関する属性情報を取得する属性情報取得工程と、
前記取得された属性情報が前記第２記録媒体に記録されたプログラム情報に関する履歴情報を有するデータベースに存在するか否かを判断する属性情報記録判断工程と、
前記属性情報が前記データベースに存在しないと判断された場合には、前記第１記録媒体に記録されたプログラム情報を前記第２記録媒体に記録する情報記録工程と、を備えることを特徴とする情報再生記録方法。
【請求項７】
第１記録媒体から再生されるプログラム情報の第２記録媒体への記録を行う際に前記再生及び記録の制御を行うコンピュータを、
前記第１記録媒体に記録されたプログラム情報に対応する管理情報と前記第２記録媒体に記録されたプログラム情報に対応する管理情報とを比較し、前記第１記録媒体における前記管理情報が前記第２記録媒体に存在するか否かを判断し、
前記第１記録媒体における前記管理情報が前記第２記録媒体に存在しない場合には、前記プログラム情報に関する属性情報を取得し、
前記取得された属性情報が前記第２記録媒体に記録されたプログラム情報に関する履歴情報を有するデータベースに存在するか否かを判断し、
前記属性情報が前記データベースに存在しない場合には、前記第１記録媒体に記録されたプログラム情報を前記第２記録媒体に記録させる、ように機能させることを特徴とする情報再生記録処理プログラム。
【請求項８】
請求項７に記載の情報再生記録処理プログラムがコンピュータ読み取り可能に記録されたことを特徴とする記録媒体。
【発明の詳細な説明】
【０００１】
【発明の属する技術分野】
本発明は、情報再生記録装置および情報再生記録方法に関し、例えば、記録媒体に記録されたプログラム情報に対応する管理情報を利用して、プログラム情報を検索するなどの処理を実行することが可能な装置および方法の技術分野に関する。
【０００２】
【従来の技術】
光ディスクや磁気ディスクなどの記録媒体には、楽曲データ（オーディオデータ）等のプログラム情報の他に、当該プログラム情報に対応する管理情報として、ＴＯＣ（Ｔａｂｌｅ　Ｏｆ　Ｃｏｎｔｅｎｔｓ）情報が記録されている。このＴＯＣ情報には、例えば、プログラム情報毎の記録媒体上での開始位置と最終プログラム情報の終了位置の絶対時間が含まれている。また、プログラム情報の開始位置と次のプログラム情報の開始位置との差が演奏時間となる。
【０００３】
従来の情報再生記録装置おいては、このＴＯＣ情報を利用して、種々の情報を検索するなどの処理が行われていた。例えば、特開２００１−１８９０４８号公報には、ＣＤ（コンパクトディスク）に記録されたオーディオデータをＨＤＤ（ハードディスク）にコピーするとき、２重コピーを防止することが可能な装置が開示されている。かかる装置では、ＣＤに記録されたオーディオデータと同じオーディオデータが既にＨＤＤに記録されているか否かを検索するに当たって、それぞれのディスクに記録されたオーディオデータに対応するＴＯＣ情報を比較することが行われていた。この比較結果、ＴＯＣ情報が一致する場合には、かかる装置は、ＣＤに記録されたオーディオデータと同じオーディオデータが、既にＨＤＤに記録されているとみなし、ＣＤから再生されたオーディオデータをＨＤＤに記録しないように制御していた。
【０００４】
【発明が解決しようとする課題】
しかしながら、異なるＴＯＣ情報であっても、同一のプログラム情報となる場合がある。例えば、同一アーティストからリリースされている曲で、同一の物（例えば、シングルＣＤ収録曲とアルバムＣＤ収録曲で同一の曲や、アルバムＣＤ収録曲とベストアルバムＣＤ収録曲で同一の曲）といった場合がある。
【０００５】
このような場合、従来の情報再生記録装置では、実際には、ＣＤに記録されたプログラム情報が既にＨＤＤに記録されている場合であっても、重複してＨＤＤに記録されてしまうことがあった。このため、使用者がＨＤＤに記録されているプログラム情報を再生して使用者自身が重複記録を判断し、煩雑な操作を行って、ＨＤＤの記憶容量を確保しなければならなかった。
【０００６】
そこで、上記課題に鑑み、少なくともプログラム情報の重複記録を防止するとともに、使用者に対する親和性、利便性を向上させることが可能な情報再生記録装置、方法、プログラム及び記録媒体を提供する。
【０００７】
【課題を解決するための手段】
上記課題を解決するため、請求項１記載の発明は、第１記録媒体からプログラム情報の再生を行う再生装置と、第２記録媒体へのプログラム情報の記録を行う記録装置と、前記再生装置および前記記録装置を制御する制御装置と、を備えた情報再生記録装置において、前記制御装置は、前記第１記録媒体に記録されたプログラム情報に対応する管理情報と前記第２記録媒体に記録されたプログラム情報に対応する管理情報とを比較し、前記第１記録媒体における管理情報が前記第２記録媒体に存在するか否かを判断する情報記録判断手段と、前記第１記録媒体における管理情報が前記第２記録媒体に存在しないと判断された場合には、前記プログラム情報に関する属性情報を取得する属性情報取得手段と、前記第２記録媒体に記録されたプログラム情報に関する属性情報を含む履歴情報を有するデータベースを参照して、前記取得された属性情報が当該データベースに存在するか否かを判断する属性情報記録判断手段と、前記属性情報が前記データベースに存在しないと判断された場合には、前記第１記録媒体に記録されたプログラム情報を前記第２記録媒体に記録させるべく前記再生装置および前記記録装置を制御する情報記録制御手段と、を備えることを特徴とする。
【０００８】
請求項６記載の発明は、第１記録媒体に記録されたプログラム情報に対応する管理情報と第２記録媒体に記録されたプログラム情報に対応する管理情報とを比較し、前記第１記録媒体における前記管理情報が前記第２記録媒体に存在するか否かを判断する情報記録判断工程と、前記第１記録媒体における管理情報が前記第２記録媒体に存在しないと判断された場合には、前記プログラム情報に関する属性情報を取得する属性情報取得工程と、前記取得された属性情報が前記第２記録媒体に記録されたプログラム情報に関する属性情報を含む履歴情報を有するデータベースに存在するか否かを判断する属性情報記録判断工程と、前記属性情報が前記データベースに存在しないと判断された場合には、前記第１記録媒体に記録されたプログラム情報を前記第２記録媒体に記録する情報記録工程と、を備えることを特徴とする。
【０００９】
請求項７記載の発明は、第１記録媒体から再生されるプログラム情報の第２記録媒体への記録を行う際に前記再生及び記録の制御を行うコンピュータを、前記第１記録媒体に記録されたプログラム情報に対応する管理情報と前記第２記録媒体に記録されたプログラム情報に対応する管理情報とを比較し、前記第１記録媒体における前記管理情報が前記第２記録媒体に存在するか否かを判断し、前記第１記録媒体における前記管理情報が前記第２記録媒体に存在しない場合には、前記プログラム情報に関する属性情報を取得し、前記取得された属性情報が前記第２記録媒体に記録されたプログラム情報に関する履歴情報を有するデータベースに存在するか否かを判断し、前記属性情報が前記データベースに存在しない場合には、前記第１記録媒体に記録されたプログラム情報を前記第２記録媒体に記録させる、ように機能させることを特徴とする。
【００１０】
請求項８記載の発明は、請求項７に記載の情報再生記録処理プログラムがコンピュータ読み取り可能に記録されたことを特徴とする。
【００１１】
【発明の実施の形態】
以下、本発明の好適な実施の形態を添付図面に基づいて説明する。なお、以下の実施形態は、オーディオ装置に対して本発明を適用した場合の実施形態である。
【００１２】
先ず、図１を参照して、本実施形態にかかるオーディオ装置の構成および機能を説明する。
【００１３】
図１は、オーディオ装置の概要ブロック例を示す図である。図１に示すように、オーディオ装置１００は、第１記録媒体としてのＣＤ１０に記録されたプログラム情報（本実施形態では、楽曲データを例にとる）を再生する再生装置としてのＣＤ再生部１と、ＣＤ再生部１により再生された楽曲データに対して高速でデジタル信号処理を施して出力するＤＳＰ（Ｄｉｇｉｔａｌ　Ｓｉｇｎａｌ　Ｐｒｏｃｅｓｓｏｒ）２と、ＤＳＰ２から出力された楽曲データをデジタル／アナログ変換しアナログ音声信号として出力するＤＡＣ（Ｄｉｇｉｔａｌ−ｔｏ−Ａｎａｌｏｇ　Ｃｏｎｖｅｒｔｅｒ）４と、ＤＡＣ４から出力されたアナログ音声信号を増幅して出力するＡＭＰ（Ａｍｐｌｉｆｉｅｒ）５と、ＡＭＰ５から出力されたアナログ音声信号を音波として出力するスピーカ６と、ＤＳＰ２から出力された楽曲データを第２記録媒体としてのＨＤＤ１１に記録装置として記録し、ＨＤＤ１１に記録された楽曲データを再生するＨＤＤ記録再生部７と、上記各構成要素の動作制御を担う制御装置としての制御部８と、使用者からの操作指示（例えば、再生指示、記録指示）を受付ける操作ボタンや、ＣＤ１０やＨＤＤ１１に記録された楽曲データに関する属性情報（例えば、楽曲タイトル、アーティスト名、ディスクタイトル、トラックタイトルなど）を表示する表示器を備える操作／表示部９と、を含んで構成される。なお、図中、実線はデータの流れを示し、点線は制御の流れを示す。
【００１４】
ＣＤ再生部１は、ＣＤ１０を装着するための装着機構、ＣＤ１０に記録された楽曲データを光学的に読み取るピックアップ、ＣＤ１０を回転駆動するスピンドルモータ、スピンドルモータとピックアップをサーボ制御するサーボ回路などを備えており、楽曲データ（ＬＲＣＫ，ＢＣＫ，ＢＤＡＴＡ，Ｃ２ＰＯなどのデジタルデータ信号）を再生し、ＤＳＰ２に出力する。また、ＣＤ再生部１は、ＣＤ１０の最内周部に記録された管理情報としてのＴＯＣ情報を読み出し、制御部８に出力する。
【００１５】
また、ＣＤ再生部１は、ＣＤ１０にプロテクトがかかっていない場合には、テキスト情報を読み出し、制御部８に出力することができる。このテキスト情報には、例えば、楽曲タイトル、アーティスト名等の楽曲データに関する属性情報が含まれている。
【００１６】
なお、かかるＣＤ再生部１には、公知の技術を適用できるので、詳しい説明を省略する。また、ＣＤ再生部１では、ＡＴＡＰＩ接続であってもよい。
【００１７】
また、本実施形態では、本発明の再生装置の一例としてＣＤ再生部１を適用したが、これに限定されるものではなく、例えば、ＤＶＤに記録された楽曲データを再生するＤＶＤ再生部や、ＭＤに記録された楽曲データを再生するＭＤ再生部などを適用してもよく、また、これらを併用するように構成してもよい。
【００１８】
ＤＳＰ２は、論理回路やメモリ回路を備えており、ＣＤ再生部１により再生された楽曲データに対して高速でデジタル信号処理、具体的には、ＣＤ再生部１により再生されたＲＦ（Ｒａｄｉｏ　Ｆｒｅｑｕｅｎｃｙ）信号の楽曲データに対してＥＦＭ（Ｅｉｇｈｔ　ｔｏ　Ｆｏｕｒｔｅｅｎ　Ｍｏｄｕｌａｔｉｏｎ）復調などの公知の音響処理を施して、当該楽曲データをＤＡＣ４およびＨＤＤ記録再生部７に出力する。
【００１９】
ＨＤＤ記録再生部７は、バッファメモリ、ＨＤＤドライブなどを備えている。ＤＳＰ２から出力された楽曲データは、バッファメモリに一旦蓄えられた後、ＨＤＤドライブによりＨＤＤ１１に記録されることになる。また、ＨＤＤドライブによりＨＤＤ１１から再生された楽曲データは、バッファメモリに蓄えられた後、ＤＳＰ２に出力される。
【００２０】
ＨＤＤ１１には、複数の楽曲データとともに、これに対応する管理情報としてのＴＯＣ情報が対応付けられて記録されている。このＴＯＣ情報は、ＣＤ再生部１によりＣＤ１０から読み出され、制御部８およびＨＤＤ記録・再生部７を介してＨＤＤ１１に記録されるものである。
【００２１】
また、ＨＤＤ１１には、これに記録された楽曲データに関する履歴情報を有する履歴情報データベースが構築される。この履歴情報には、ＨＤＤ１１に記録された楽曲データに対応するＴＯＣ情報、その楽曲データに関する属性情報（例えば、楽曲タイトル、アーティスト名、ディスク（アルバム）タイトル、トラックタイトル）、記録日時及び記録容量などの情報が含まれており、それらの情報は互いに対応付けられている。
【００２２】
このような履歴情報は、例えば、楽曲データがＣＤ１０からＨＤＤ１１に記録される際に、履歴情報データベースに記憶される。例えば、ＣＤテキスト規格によりＣＤ１０から属性情報を含むテキスト情報を読み出すことができる場合には、楽曲データがＣＤ１０からＨＤＤ１１に記録される際に、その楽曲データに対応するＴＯＣ情報とともに、その楽曲データに関する属性情報が履歴情報データベースに記憶されることになる。一方、ＣＤ１０から属性情報を含むテキスト情報を読み出すことができない場合には、記録対象の楽曲データに関する属性情報が、ＴＯＣ情報に基づいて、後述する属性情報検索用データベースから検索され、履歴情報データベースに記憶されることになる。
【００２３】
また、ＨＤＤ１１には、楽曲データに対応するＴＯＣ情報と楽曲データに関する属性情報とが関連付けられて登録された属性情報検索用データベースが構築される。この属性情報検索用データベースに登録されるべき情報は、インターネット上の所定のサーバからダウンロードされることができる。また、この属性情報検索用データベースには、本実施形態におけるＣＤ１０およびＨＤＤ１１に記録されていない楽曲データに対応するＴＯＣ情報および、その楽曲データに関する属性情報が記憶されている。つまり、属性情報検索用データベースは、楽曲データに対応するＴＯＣ情報から、楽曲データに関する属性情報を検索するためのものである。
【００２４】
なお、かかるＨＤＤ記録再生部７には、公知の技術を適用できるので、詳しい説明を省略する。また、本実施形態では、本発明の記録再生装置の一例としてＨＤＤ記録再生部７を適用したが、これに限定されるものではなく、例えば、ＣＤ−Ｒに楽曲データを記録再生するＣＤ−Ｒ記録再生部や、ＤＶＤ−Ｒ／Ｗに楽曲データを記録再生するＤＶＤ−Ｒ／Ｗ記録再生部などを適用してもよく、また、これらを併用するように構成してもよい。
【００２５】
制御部８は、演算機能を有するＣＰＵ、作業用ＲＡＭ、各種処理プログラムやデータを記憶するＲＯＭなどからなり、操作・表示部９からの指示に従い、ＣＤ再生部１の再生動作や、ＨＤＤ記録再生部７の記録再生動作を制御する。
【００２６】
また、制御部８におけるＲＯＭには、情報再生記録処理プログラムが記憶されており、かかるプログラムにより、制御部８が本発明のコンピュータとして機能する。
【００２７】
具体的には、制御部８は、情報記録判断手段として機能し、ＣＤ１０に記録された楽曲データに対応するＴＯＣ情報とＨＤＤ１１に記録された楽曲データに対応するＴＯＣ情報とを比較し、ＣＤ１０におけるＴＯＣ情報がＨＤＤ１１に存在するか否かを判断する。
【００２８】
また、制御部８は、属性情報取得手段として機能し、ＣＤ１０におけるＴＯＣ情報がＨＤＤ１１に存在しないと判断された場合（例えば、比較されたＴＯＣ情報が互いに一致（或いは、所定の許容範囲内での一致）しない場合）には、ＣＤ１０に記録された楽曲データに関する属性情報が、例えば、テキスト情報若しくは、属性情報検索用データベースから取得可能か否か判断し、取得可能である場合には、その属性情報を取得する。
【００２９】
また、制御部８は、属性情報記録判断手段として機能し、履歴情報データベースを参照して、取得された属性情報が当該データベースに存在するか否かを判断する。
【００３０】
また、制御部８は、属性情報記録判断手段として機能し、属性情報が履歴情報データベースに存在しないと判断された場合には、ＣＤ１０に記録された楽曲データをＨＤＤ１１に記録させるべくＣＤ再生部１およびＨＤＤ記録・再生部７を制御する。
【００３１】
次に、図２を参照して、本実施形態にかかるオーディオ装置の動作を説明する。
【００３２】
図２は、ＣＤ１０に記録された楽曲データが再生され、ＨＤＤ１１に記録される際の制御部８の処理を示すフローチャートである。
【００３３】
図２の処理において、先ず、ＣＤ再生部１にＣＤ１０が装着されると、ＣＤ再生部１は、ＣＤ１０の最内周部に記録されたＴＯＣ情報を読み出し、制御部８に出力する。こうして、制御部８は、ＣＤ再生部１から出力されたＴＯＣ情報を取得する（ステップＳ１）。
【００３４】
次に、使用者が操作・表示部９を操作して、ＣＤ１０に記録された楽曲データの再生および記録指示（複数曲選択指示してもよい）を入力すると、制御部８は、ＨＤＤ記録再生部７を介して、ＨＤＤ１１に記録された全ての楽曲データに対応するＴＯＣ情報を、ＨＤＤ記録再生部７から取得する（ステップＳ２）。
【００３５】
次に、制御部８は、取得されたそれらのＴＯＣ情報を比較（複数曲選択指示された場合には、最初にＣＤ１０から再生すべき楽曲データに対応するＴＯＣ情報と、ＨＤＤ１１に記録された全ての楽曲データに対応するＴＯＣ情報とが比較される）し、ＣＤ１０におけるＴＯＣ情報がＨＤＤ１１に存在するか否かを判断する（ステップＳ３）。例えば、制御部８は、ＨＤＤ１１に記録された楽曲データに対応するＴＯＣ情報の中に、ＣＤ１０に記録されたその楽曲データに対応するＴＯＣ情報と一致（或いは、所定の許容範囲内での一致）するものがあるか否かを比較し、一致するものがなかった場合には、ＣＤ１０におけるＴＯＣ情報がＨＤＤ１１に存在しないと判断し、ステップＳ４に移行する。一方、一致するものがあった場合には、ＣＤ１０に記録されたその楽曲データがＨＤＤ１１に記録されていると判断し、処理を終了する。
【００３６】
次に、ステップＳ４では、制御部８は、ＣＤ１０に記録されたその楽曲データに関する属性情報が、例えば、テキスト情報若しくは、属性情報検索用データベースから取得可能であるか否かを判断する。つまり、制御部８は、ＣＤテキスト規格によりＣＤ１０から属性情報を含むテキスト情報を読み出し取得可能であるか否かを判断し、取得可能である場合には、制御部８は、ＣＤ１０に記録されたその楽曲データに関する属性情報をテキスト情報から取得する（ステップＳ５）。
【００３７】
一方、ＣＤ１０から属性情報を含むテキスト情報を取得できない場合には、制御部８は、ステップＳ１で取得したＴＯＣ情報に対応する属性情報を属性情報検索用データベースから取得可能であるか否かを判断し、取得可能である場合には、制御部８は、ＣＤ１０に記録されたその楽曲データに関する属性情報を属性情報検索用データベースから取得する。
【００３８】
一方、当該属性情報が属性情報検索用データベースからも取得できない場合には、ＣＤ１０に記録された楽曲データがＨＤＤ１１に記録されていないとみなし、ステップＳ７に移行する。
【００３９】
次に、制御部８は、履歴情報データベースを参照して、取得された属性情報が当該データベースに存在するか否かを判断する（ステップＳ６）。例えば、取得された属性情報のうち楽曲タイトルが履歴情報データベースに登録されているか否かを判断する。その結果、楽曲タイトルが履歴情報データベースに登録されていると判断された場合には、制御部８は、ＣＤ１０に記録された楽曲データが既にＨＤＤ１１に記録されているとみなし、楽曲データの記録制御を行わず処理を終了する。
【００４０】
一方、属性情報のうち楽曲タイトルが履歴情報データベースに登録されてないと判断された場合には、制御部８は、ＣＤ１０に記録された楽曲データがＨＤＤ１１に記録されていないとみなし、ＣＤ１０に記録された楽曲データをＨＤＤ１１に記録させるために、ＣＤ再生部１に再生指令を与えるとともに、ＨＤＤ記録・再生部７に記録指令を与える（ステップＳ７）。これにより、ＣＤ１０から楽曲データが再生され、ＤＳＰ２、ＤＡＣ４およびＡＭＰ５を介してスピーカ６から出力されるとともに、ＤＳＰ２、ＨＤＤ記録・再生部７を介してＨＤＤ１１に記録されることになる。なお、楽曲データが、ＤＳＰ２からＤＡＣ４或いは、ＤＳＰ２からＨＤＤ記録・再生部７の何れかに出力されるように切換スイッチを設け、操作・表示部９からＣＤ１０に記録された楽曲データの再生および記録指示が入力された際には、楽曲データがＤＳＰ２からＨＤＤ記録・再生部７にのみ出力されるように構成してもよい。
【００４１】
次に、制御部８は、その楽曲データに対応付けて、これに対応するＴＯＣ情報をＨＤＤ記録・再生部７を介してＨＤＤ１１に記憶するとともに、その楽曲データに対応するＴＯＣ情報、属性情報（テキスト情報或いは、属性情報検索用データベースから取得された属性情報）、記録日時及び記録容量等の履歴情報をＨＤＤ記録・再生部７を介してＨＤＤ１１内の履歴情報データベースに記憶する（ステップＳ８）。
【００４２】
次に、制御部８は、当該楽曲データの再生が終了したか否かを判断し（ステップＳ９）、終了した場合には、次に再生すべき楽曲データがあるか否かを判断する（ステップＳ１０）。次に再生すべき楽曲データがある場合には、ステップＳ３に戻り、制御部８は、かかる楽曲データに対し上記と同様の処理を行う。一方、次に再生すべき楽曲データがない場合には、上記処理が終了される。
【００４３】
以上説明したように本実施形態によれば、ＴＯＣ情報の比較結果、異なるＴＯＣ情報であると判断された場合には、さらに、楽曲データの属性情報が履歴情報データベースに存在するか否かが判断されることによりＣＤ１０に記録された楽曲データが既にＨＤＤ１１に記録されているかどうかの最終的な判断がなされるので、異なるＴＯＣ情報で同一の楽曲データである場合にも、楽曲データを重複してＨＤＤ１１に記録されることを防止することができる。よって、使用者に対する親和性、利便性を向上させることができる。
【００４４】
なお、上記ステップＳ６において、制御部８は、履歴情報データベースを参照して、取得された属性情報に含まれる複数種類の情報のうち２以上の情報の組合せが履歴情報データベースに存在するか否かを判断するように構成してもよい。例えば、制御部８は、属性情報のうち楽曲タイトルとアーティスト名の組合せが、履歴情報データベースに登録されているか否かを判断（１つの楽曲データに対して楽曲タイトルとアーティスト名がペアで登録されているか）し、登録されていないと判断した場合には、ＣＤ１０に記録された楽曲データをＨＤＤ１１に記録させるために、ＣＤ再生部１に再生指令を与えるとともに、ＨＤＤ記録・再生部７に記録指令を与える。
【００４５】
このように構成すれば、ＣＤ１０に記録された楽曲データに関する属性情報のうちのある情報（例えば、楽曲タイトル）のみが、ＨＤＤ１１に記録された楽曲データのそれと同じで、それ以外の情報（例えば、アーティスト名）が異なっていた場合に、ＣＤ１０に記録された楽曲データが誤って既にＨＤＤ１１に記録されていると判断され、ＨＤＤ１１に記録されないことを防止することができる。
【００４６】
また、上記実施形態において、ＣＤ１０に記録された複数の楽曲データのうち、属性情報が履歴情報データベースに存在しないと判断された楽曲データをＨＤＤ１１に記録させるべくＣＤ再生部１およびＨＤＤ記録・再生部７を制御する際に、当該楽曲データと、複数の楽曲データのうちＨＤＤ１１に既に記録されている楽曲データとを関連付けるように構成してもよい。
【００４７】
図３は、ＣＤ１０及びＨＤＤ１１に記録された楽曲データを記録位置順に示した概念図である。図３（Ａ）に示す例では、ディスクタイトル「ＤＸ」のＣＤ１０には５曲の楽曲データ（楽曲タイトル「ＶＶＶ」〜「ＺＺＺ」）が記録されており、ＨＤＤ１１にはＣＤ１０に記録された楽曲データのうち楽曲タイトル「ＷＷＷ」の楽曲データを含む多くの楽曲データが記録されている。
【００４８】
このような場合に、上記図２に示す処理が実行されると、図３（Ｂ）に示すように、ＣＤ１０に記録された５曲の楽曲データのうち楽曲タイトル「ＷＷＷ」を除く４曲の楽曲データ（楽曲タイトル「ＶＶＶ」，「ＸＸＸ」〜「ＺＺＺ」）がＨＤＤ１１に記録されることになり、それらの楽曲データに関する履歴情報が履歴情報データベースに記憶されることになる。この際、制御部８は、さらに、既にＨＤＤ１１に記憶されている楽曲タイトル「ＷＷＷ」の楽曲データと、新たにＨＤＤ１１に記憶される楽曲タイトル「ＶＶＶ」，「ＸＸＸ」〜「ＺＺＺ」の楽曲データを関連付け、その情報（例えば、新たに記録された楽曲タイトル「ＶＶＶ」の楽曲データと楽曲タイトル「ＸＸＸ」の楽曲データとの間に、既に記録された楽曲タイトル「ＷＷＷ」の楽曲データが挿入されるべき旨）をＨＤＤ１１内の履歴情報データベースに記憶する。
【００４９】
これにより、例えば、使用者が、操作／表示部９を操作してＨＤＤ１１における自己が聞きたいディスクのタイトル（例えば、ディスクタイトル「ＤＸ」）を検索情報として入力すると、制御部８は、履歴情報データベースに記憶された履歴情報に基づき、ディスクタイトル「ＤＸ」に対応する楽曲タイトル「ＶＶＶ」〜「ＺＺＺ」を、図４に示すように、ＣＤ１０に記録された楽曲データの並び順で操作／表示部９の画面９０上に表示させる。こうして、使用者は、例えば、操作／表示部９から連続再生を指示すると、図４に示す楽曲タイトルの順に、楽曲データが再生されることになる。
【００５０】
このように構成すれば、より一層、使用者に対する親和性、利便性を向上させることができる。
【００５１】
なお、上記実施形態においては、履歴情報データベースは、ＨＤＤ１１内に構築されるように構成したが、これに限定されるものではなく、不揮発性メモリ（例えば、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ））を設けてそこに構築するように構成してもよい。
【００５２】
また、上記実施形態においては、楽曲データをそのままＨＤＤ１１に記録するように構成したが、例えば、ＭＰ３、ＡＴＲＡＣ３等のフォーマットで圧縮したり、著作権保護のための音声データの暗号化を行ってから音声データをＨＤＤ１１に記録するように構成してもよい。
【００５３】
また、上記実施形態においては、デジタル形式での記録処理の例を示したが、Ａ／Ｄ変換器等を追加し、アナログ形式での記録処理に適用してもよい。
【００５４】
また、上記実施形態においては、一つの制御部８によりＣＤ再生部１の再生動作とＨＤＤ記録・再生部７の記録再生動作を制御することについて説明したが、ＣＤ再生部１の再生動作とＨＤＤ記録・再生部７の記録再生動作の各々を独立して制御する制御部を二つ設けてもよい。この場合には、各々の制御部が互いに同期をとりながらＣＤ再生部１の再生動作とＨＤＤ記録・再生部７の記録再生動作を制御することになる。
【００５５】
また、上記実施形態においては、情報再生記録装置をオーディオ装置に適用し、プログラム情報として楽曲データを例にとって説明したがこれに限定されるものではなく、例えば、情報再生記録装置をビデオ装置に適用し、プログラム情報として画像データを例にとっても上記と同様の効果を得ることができる。
【図面の簡単な説明】
【図１】本実施形態におけるオーディオ装置の概要ブロック例を示す図である。
【図２】ＣＤ１０に記録された楽曲データが再生され、ＨＤＤ１１に記録される際の制御部８の処理を示すフローチャートである。
【図３】ＣＤ１０及びＨＤＤ１１に記録された楽曲データを記録位置順に示した概念図である。
【図４】操作／表示部９の画面９０上に表示された楽曲データの楽曲タイトルのリストを示す図である。
【符号の説明】
１　ＣＤ再生部
２　ＤＳＰ
４　ＤＡＣ
５　ＡＭＰ
６　スピーカ
７　ＨＤＤ記録再生部
８　制御部
９　操作／表示部
１０　ＣＤ
１１　ＨＤＤ
１００　オーディオ装置
【図１】
2004071062.tif 000003
【図２】
2004071062.tif 000004
【図３】
2004071062.tif 000005
【図４】
2004071062.tif 000006